(57)【特許請求の範囲】
【請求項１】
耐火物で形成されている濾過槽の内部に入湯口のある第一室と出湯口のある第二室を前記入湯口と前記出湯口とが相対峙するように左右直列状態に設け、前記第一室内には第一濾過ユニットを挿着し、第一濾過ユニットは、水平の目の荒い濾過チューブを、左右一対の垂直の入口側側板の凹部と垂直の出口側側板の凹部とにそれぞれ嵌合させて、前記濾過チューブの入口側側板側は閉鎖し、前記濾過チューブの出口側側板側は開放して濾過チューブの流出口を形成すると共に、前記出口側側板を第一室の出口側壁面に圧着させて構成し、前記第一室の出口側側板と前記第二室の間に縦の壁を設け、該壁に第一室と第二室とを連通する連通路を設け、該連通路は、前記入湯口および前記出湯口と略直線状に配置すると共に、前記濾過チューブの流出口より上方に形成し、前記第二室内であってかつ前記連通路より下方には第二濾過ユニットを挿着し、前記第二濾過ユニットは、水平の目の細かいセラミックチューブを、左右一対の垂直の入口側側板の凹部と垂直の出口側側板の凹部に夫々嵌合させ、該セラミックチューブの入口側側板側は閉鎖し、セラミックチューブの出口側側板側は開放すると共に、該出口側側板を第二室の出湯口側壁面に圧着させて構成し、前記第一濾過ユニットおよび第二濾過ユニットの濾過チューブおよびセラミックチューブの夫々は、軸心が左右方向となるように並設し、前記第二室の底部は第一室の底部より低位置とし、前記入湯口は前記第一室の始端側の前後略中央であって第一濾過ユニットの濾過チューブより上方に設け、前記出湯口は第二室の終端側の前後略中央であって第二濾過ユニットより上方に設け、前記第一濾過ユニットの濾過チューブは三次元網目構造を有するセラミックフォーム多孔体で形成し、第二濾過ユニットのセラミックチューブはアルミナ質ポーラスチューブで形成し、前記入湯口より入湯した金属溶湯は第一濾過ユニットと第二濾過ユニットで直列処理されて出湯口より出湯するように構成した金属溶湯濾過装置。
【請求項２】
請求項１において、前記第一濾過ユニットの濾過チューブは三次元網目構造を有するセラミックフォーム多孔体で形成し、そのポアーサイズは１３ppi 〜４０ppi とした金属溶湯濾過装置。
【請求項３】
請求項１または請求項２において、前記第二濾過ユニットのセラミックチューブはアルミナ等の無機質骨材を無機質結合材で結合させた多孔体で、目の荒さは平均気孔径が４００〜１２００μとした金属溶湯濾過装置。
【発明の詳細な説明】
【０００１】
【産業上の利用分野】
本発明は、金属溶湯濾過装置に関するものである。
【０００２】
【従来技術】
従来、金属溶湯濾過装置において、アルミニウム缶をリサイクルして溶湯濾過することは行なわれている。なお、金属溶湯濾過装置において、耐火物で形成されている濾過槽の内部に第一室と第二室を並列状態に設け、前記第一室と第二室内には垂直の入口側側板と垂直の出口側側板と水平の濾過チューブから形成されている第一濾過ユニットを、前記第二室内には垂直の入口側側板と垂直の出口側側板と水平の濾過チューブから形成されている第二濾過ユニットを挿着し、入湯口より入湯した金属溶湯は、第一濾過ユニットと第二濾過ユニットで並列処理するものは、公知であった。
また、耐火物で形成されている濾過槽の内部に入湯口のある第一室と出湯口のある第二室を左右直列状態に設け、前記第一室内には平板状の目の荒い一枚のセラミックフォームを、前記第二室内には垂直の入口側側板と垂直の出口側側板と水平の目の細かいセラミックチューブから形成される第二濾過ユニットとを挿着し、入湯口より入湯した金属溶湯は、平板状の目の荒い一枚のセラミックフォームと第二濾過ユニットで直列処理され、出湯口より出湯する金属溶湯濾過装置は公知である。
【０００３】
【発明が解決しようとする課題】
前者は、入湯口より入湯した金属溶湯を、第一濾過ユニットと第二濾過ユニットで並列処理するものであり、この金属溶湯濾過装置でアルミニウム缶のリサイクルのような作業をすると、色々な不純物が多量にあるので、短期間で目詰まりし、高価な第一濾過ユニット及び第二濾過ユニットはともに交換しなければならないという不都合があった。
また、後者の平板状の目の荒いセラミックフォームと第二濾過ユニットとを直列処理するようにしたものは、元来、アルミニウムのインゴットの溶湯のように不純物の非常に少ない溶湯で発生するアルミニウム酸化物を除去することを目的としており、アルミニウム缶のリサイクルの場合の如く、いろいろの不純物が多量に存在するものは、円滑に作用しない。即ち、一枚の平板からなるセラミックフォームでは、濾過面積が狭く、たびたび目詰まりして交換しなければならず、セラミックフォームを用いた効果はなかった。そこで、本願は、セラミックフォームにつき、これをチューブにして、濾過面積を確保し、アルミニウム缶のリサイクルのように異物を多く含む場合でも、使用できるようにしたものである。
【０００４】
【課題を解決するための手段】
よって、本発明は、耐火物で形成されている濾過槽の内部に入湯口のある第一室と出湯口のある第二室を前記入湯口と前記出湯口とが相対峙するように左右直列状態に設け、前記第一室内には第一濾過ユニットを挿着し、第一濾過ユニットは、水平の目の荒い濾過チューブを、左右一対の垂直の入口側側板の凹部と垂直の出口側側板の凹部とにそれぞれ嵌合させて、前記濾過チューブの入口側側板側は閉鎖し、前記濾過チューブの出口側側板側は開放して濾過チューブの流出口を形成すると共に、前記出口側側板を第一室の出口側壁面に圧着させて構成し、前記第一室の出口側側板と前記第二室の間に縦の壁を設け、該壁に第一室と第二室とを連通する連通路を設け、該連通路は、前記入湯口および前記出湯口と略直線状に配置すると共に、前記濾過チューブの流出口より上方に形成し、前記第二室内であってかつ前記連通路より下方には第二濾過ユニットを挿着し、前記第二濾過ユニットは、水平の目の細かいセラミックチューブを、左右一対の垂直の入口側側板の凹部と垂直の出口側側板の凹部に夫々嵌合させ、該セラミックチューブの入口側側板側は閉鎖し、セラミックチューブの出口側側板側は開放すると共に、該出口側側板を第二室の出湯口側壁面に圧着させて構成し、前記第一濾過ユニットおよび第二濾過ユニットの濾過チューブおよびセラミックチューブの夫々は、軸心が左右方向となるように並設し、前記第二室の底部は第一室の底部より低位置とし、前記入湯口は前記第一室の始端側の前後略中央であって第一濾過ユニットの濾過チューブより上方に設け、前記出湯口は第二室の終端側の前後略中央であって第二濾過ユニットより上方に設け、前記第一濾過ユニットの濾過チューブは三次元網目構造を有するセラミックフォーム多孔体で形成し、第二濾過ユニットのセラミックチューブはアルミナ質ポーラスチューブで形成し、前記入湯口より入湯した金属溶湯は第一濾過ユニットと第二濾過ユニットで直列処理されて出湯口より出湯するように構成した金属溶湯濾過装置としたものである。
また、本発明は、前記金属溶湯濾過装置において、前記第一濾過ユニットの濾過チューブは三次元網目構造を有するセラミックフォーム多孔体で形成し、そのポアーサイズは１３ppi 〜４０ppi とした金属溶湯濾過装置としたものである。
また、本発明は、前記第二濾過ユニットのセラミックチューブはアルミナ等の無機質骨材を無機質結合材で結合させた多孔体で、目の荒さは平均気孔径が４００〜１２００μとした金属溶湯濾過装置としたものである。
【０００５】
【実施例】
本発明の一実施例を図面により説明すると、１は窒化珪素結合の炭化珪素等の耐火物で形成されている濾過槽で、内部には第一室２と第二室３が左右に直列状態に形成される。前記第一室２内には、第一濾過ユニット４が挿入される。第一濾過ユニット４は、炭化珪素質等の耐火物で形成された垂直の入口側側板５と、同様の耐火物で形成された垂直の出口側側板６と、その間に掛け渡した水平のセラミックフォームからなる濾過チューブ７から形成されており、該濾過チューブ７の目は荒く、そのポアーサイズは１３ppi 〜４０ppi としてある。
【０００６】
前記第一濾過ユニット４は第一室２内に挿入され、入口側側板５と濾過槽１の内面との間にくさび８を打込んで出口側側板６を出口側壁面９に圧着させる。前記濾過チューブ７は、入口側側板５と出口側側板６に設けた凹部１０、１１にそれぞれ嵌合させてあり、濾過チューブ７の入口側側板５側は閉鎖され、濾過チューブ７の出口側側板６側は開放しているので、出口側側板６に形成した流出口１２より矢印のように流出し、第二室３内に流入する。１３は連通路である。
【０００７】
前記第二室３内には第二濾過ユニット１４が設けられる。第二濾過ユニット１４も耐火物の垂直の入口側側板１５と垂直の出口側側板１６とその間に掛け渡された複数本のアルミナ質ポーラスチューブで形成されたセラミックチューブ１７から形成される。セラミックチューブ１７はアルミナ質ポーラスチューブで濾過チューブ７に比べて目は細かく、平均気孔径が４００〜１２００μとしてある。前記第二濾過ユニット１４は第二室３内に挿着され、入口側側板１５と第二室３の壁１８の間にくさび１９を打ち込んで出口側側板１６を第二室３の出口側の壁２０に圧着させる。セラミックチューブ１７の両端は出口側側板１５と入口側側板１６に形成した凹部２１と凹部２２に夫々嵌合する。セラミックチューブ１７の入口側側板１５側は閉鎖され、セラミックチューブ１７の出口側側板１６側は開放しているので第二室３内の溶湯は矢印のように流出路２３に流れる。図中、２４は入湯口、２５は出湯口、２６は蓋、２７はヒーターである。
【０００８】
【作用】
次に作用を述べる。
蓋２６を外した状態で、第一室２内に第一濾過ユニット４を第二室３内に第二濾過ユニット１４を夫々挿着し、くさび８及びくさび１９を打込んで第一濾過ユニット４の出口側側板６を出口側壁面９に、第二濾過ユニット１４の出口側側板１６を壁２０に夫々圧着させる。ついで、蓋２６を被せヒーター２７に通電し、入湯口２４よりアルミニウム缶をリサイクルした金属溶湯を流入させると第一室２内では目の荒いセラミックフォームからなる濾過チューブ７で濾過されて多量に存在する大きな不純物が除去され、第二室３内では目の細かいアルミナ質ポーラスチューブのセラミックチューブ１７で濾過されて直列処理され、高価なセラミックチューブ１７の目詰まりを防止する。また、前記第一室２内の第一濾過ユニット４は、セラミックフォームからなる濾過チューブ７としてあるので、従前公知の、セラミックフォームからなる濾過板と異なり、濾過面積が広いので、長期間に渡り目詰まりしない。
【０００９】
【発明の効果】
従来、金属溶湯濾過装置において、耐火物で形成されている濾過槽の内部に第一室と第二室を並列状態に設け、前記第一室と第二室内には垂直の入口側側板と垂直の出口側側板と水平の濾過チューブから形成されている第一濾過ユニットを、前記第二室内には垂直の入口側側板と垂直の出口側側板と水平の濾過チューブから形成されている第二濾過ユニットを挿着し、入湯口より入湯した金属溶湯は、第一濾過ユニットと第二濾過ユニットで並列処理するものは、公知であった。また、耐火物で形成されている濾過槽の内部に入湯口のある第一室と出湯口のある第二室を左右直列状態に設け、前記第一室内には平板状の目の荒い一枚のセラミックフォームを、前記第二室内には垂直の入口側側板と垂直の出口側側板と水平の目の細かいセラミックチューブから形成される第二濾過ユニットとを挿着し、入湯口より入湯した金属溶湯は、平板状の目の荒い一枚のセラミックフォームと第二濾過ユニットで直列処理され、出湯口より出湯する金属溶湯濾過装置は公知であった。
しかし、前者は、入湯口より入湯した金属溶湯を、第一濾過ユニットと第二濾過ユニットで並列処理するものであり、この金属溶湯濾過装置でアルミニウム缶のリサイクルのような作業をすると、色々な不純物が多量にあるので、短期間で目詰まりし、高価な第一濾過ユニット及び第二濾過ユニットはともに交換しなければならないという不都合があった。また、後者の平板状の目の荒いセラミックフォームと第二濾過ユニットとを直列処理するようにしたものは、元来、アルミニウムのインゴットの溶湯のように不純物の非常に少ない溶湯で発生するアルミニウム酸化物を除去することを目的としており、アルミニウム缶のリサイクルの場合の如く、いろいろの不純物が多量に存在するものは、円滑に作用しない。即ち、一枚の平板からなるセラミックフォームでは、濾過面積が狭くたびたび目詰まりして交換しなければならず、セラミックフォームを用いた効果はなかった。
しかるに、本発明は、耐火物で形成されている濾過槽の内部に入湯口のある第一室と出湯口のある第二室を前記入湯口と前記出湯口とが相対峙するように左右直列状態に設け、前記第一室内には第一濾過ユニットを挿着し、第一濾過ユニットは、水平の目の荒い濾過チューブを、左右一対の垂直の入口側側板の凹部と垂直の出口側側板の凹部とにそれぞれ嵌合させて、前記濾過チューブの入口側側板側は閉鎖し、前記濾過チューブの出口側側板側は開放して濾過チューブの流出口を形成すると共に、前記出口側側板を第一室の出口側壁面に圧着させて構成し、前記第一室の出口側側板と前記第二室の間に縦の壁を設け、該壁に第一室と第二室とを連通する連通路を設け、該連通路は、前記入湯口および前記出湯口と略直線状に配置すると共に、前記濾過チューブの流出口より上方に形成し、前記第二室内であってかつ前記連通路より下方には第二濾過ユニットを挿着し、前記第二濾過ユニットは、水平の目の細かいセラミックチューブを、左右一対の垂直の入口側側板の凹部と垂直の出口側側板の凹部に夫々嵌合させ、該セラミックチューブの入口側側板側は閉鎖し、セラミックチューブの出口側側板側は開放すると共に、該出口側側板を第二室の出湯口側壁面に圧着させて構成し、前記第一濾過ユニットおよび第二濾過ユニットの濾過チューブおよびセラミックチューブの夫々は、軸心が左右方向となるように並設し、前記第二室の底部は第一室の底部より低位置とし、前記入湯口は前記第一室の始端側の前後略中央であって第一濾過ユニットの濾過チューブより上方に設け、前記出湯口は第二室の終端側の前後略中央であって第二濾過ユニットより上方に設け、前記第一濾過ユニットの濾過チューブは三次元網目構造を有するセラミックフォーム多孔体で形成し、第二濾過ユニットのセラミックチューブはアルミナ質ポーラスチューブで形成し、前記入湯口より入湯した金属溶湯は第一濾過ユニットと第二濾過ユニットで直列処理されて出湯口より出湯するように構成した金属溶湯濾過装置としたものであるから、アルミニウム缶のリサイクルのように多量の異物を含む金属溶湯の濾過でも、円滑に処理できる。特に、第一室２内には垂直の入口側側板５と垂直の出口側側板６と水平の目の荒い濾過チューブ７から形成されている第一濾過ユニット４を挿入したので、単なる一枚の平板からなるセラミックフォームと異なり、濾過面積を充分確保でき、アルミニウム缶のリサイクルのように多量の異物を含む金属溶湯でも、目詰まりしない。
また、前記金属溶湯濾過装置において、第一濾過ユニット４の濾過チューブ７は三次元網目構造を有するセラミックフォーム多孔体で形成し、そのポアーサイズは１３ppi 〜４０ppi とした金属溶湯濾過装置としたものであるから、アルミニウム缶のリサイクルのように多量の異物を含む金属溶湯の異物除去を良好に行なえる。
また、前記金属溶湯濾過装置において、第二濾過ユニット１４のセラミックチューブ１７はアルミナ等の無機質骨材を無機質結合材で結合させた多孔体で、目の荒さは平均気孔径が４００〜１２００μとした金属溶湯濾過装置としたものであるから、アルミニウム缶のリサイクルの金属溶湯の仕上濾過を良好に行なえる。
【図面の簡単な説明】
【図１】横断平面図。
【図２】縦断側面図。
【符号の説明】
１…濾過槽、２…第一室、３…第二室、４…第一濾過ユニット、５…入口側側板、６…出口側側板、７…濾過チューブ、８…くさび、９…出口側壁面、１０…凹部、１１…凹部、１２…流出口、１３…連通路、１４…第二濾過ユニット、１５…入口側側板、１６…出口側側板、１７…セラミックチューブ、１８…壁、１９…くさび、２０…壁、２１…凹部、２２…凹部、２３…流出路、２４…入湯口、２５…出湯口、２６…蓋、２７…ヒーター。
【図１】
0004070272.tif 000002
【図２】
0004070272.tif 000003